(57)【特許請求の範囲】
【請求項１】
入金された硬貨を一枚ずつ分離して繰り出す硬貨繰出部と、
前記硬貨繰出部から繰り出された硬貨を搬送する搬送部と、
前記搬送部中に設けられ硬貨の真偽及び金種を識別する硬貨識別部と、
前記搬送部から送られてきた硬貨を金種別に振り分ける選別搬送部と、
前記選別搬送部で選別された硬貨を一時的に保留する硬貨一時保留部と、
前記硬貨一時保留部に保留された硬貨を金種別に収納し指定金種の硬貨を指定枚数だけ取り出し可能に設けられた硬貨収納部と、
前記硬貨収納部に収納しきれない硬貨を回収するための硬貨回収部とを備える硬貨処理装置において、
前記硬貨収納部より取り出された硬貨と、入金された硬貨と、前記硬貨一時保留部に保留された硬貨を返却するために、前記硬貨一時保留部から放出された硬貨とを前記硬貨繰出部に案内する同一のシュートを備え、
前記シュートにより、前記硬貨繰出部に案内された硬貨としての、前記硬貨収納部より取り出された硬貨と、前記放出された硬貨は、前記搬送部、前記選別搬送部を経由して出金されることを特徴とする硬貨処理装置。
【請求項２】
前記硬貨収納部に収納しきれない硬貨と、１又は２以上の補助硬貨を前記硬貨回収部に回収することを特徴とする請求項１の硬貨処理装置
【請求項３】
前記硬貨繰出部は水平円盤型繰出装置により構成されていることを特徴とする請求項１又は請求項２に記載の硬貨処理装置。
【発明の詳細な説明】
【０００１】
【発明の属する技術分野】
本発明は硬貨処理装置に関し、特に循環式硬貨処理装置に関する。
【０００２】
【従来の技術】
銀行等の金融機関においては、入金処理及び出金処理を行うことができ、入金硬貨を循環させて出金硬貨として再利用することのできる循環式の硬貨処理装置が広く採用されている。
【０００３】
硬貨処理装置としては従来から種々の型式があるが、その代表的なものには、例えば特開平７−２３４９５２号公報に記載されているようなものがある。この特開平７−２３４９５２号公報に記載の硬貨処理装置においては、図１０に示すように入金処理時に装置上部の硬貨入出金部２０３に投入された硬貨は、シュート２０４により硬貨入出金部２０３の直下の硬貨繰出部２０５に案内される。硬貨繰出部２０５に案内された硬貨は個々に分離された後、第１搬送ベルトに２０６により硬貨識別部２０７に搬送されて真偽及び金種の識別が行われる。そして、識別された正硬貨は、更に第２搬送ベルト２０８を介して振分搬送部２０９に搬送され、各金種に振り分けられて下方の第３搬送ベルト２１０により構成された硬貨一時保留部に保留される。硬貨一時保留部に保留された金額が入金金額と同一であると利用者が確認した場合には、硬貨は第３搬送ベルト２１０により硬貨収納部２１１に送られ、金種別に収納される。
【０００４】
一方、出金処理時には、硬貨収納部２１１から指定金種の硬貨が指定枚数だけ取り出され、その硬貨は装置下部の第４搬送ベルト２１２上に落下される。第４搬送ベルト２１２上に落下された硬貨は前記硬貨繰出部２０５に搬送される。前記硬貨繰出部２０５に搬送された硬貨は第１搬送ベルト２０６と第２搬送ベルト２０８に接続される第５搬送ベルト２１３により硬貨入出金部２０３に搬送される。尚、このようにして硬貨入出金部２０３に送られてきた硬貨は、既に入金時に識別されているが、確認のために、再度、第１搬送ベルト中に設けられた硬貨識別部２０７により真偽及び金種の識別が行われている。
【０００５】
【発明が解決しようとする課題】
しかし、このような硬貨処理装置によると、第３搬送ベルトを懸架することにより硬貨保留部を構成するために、装置が大型化する。また、第４搬送ベルトを懸架し、硬貨を硬貨繰出部に返却するために高価なものとなっている。
【０００６】
また、出金硬貨の使用頻度の調査をしてみると、全ての金種が均等に出金されているわけではなく、５００円硬貨、５０円硬貨、５円硬貨のいわゆる補助硬貨の出金割合は少ない。更に、これらの出金はそれぞれ１００円硬貨、１０円硬貨、１円硬貨で代替えできるものである。
【０００７】
そこで、５００円硬貨、５０円硬貨、５円硬貨のいわゆる補助硬貨を少なくとも１以上回収するものとし、安価で小型な硬貨処理装置を提供し、設置面積の低減を図ることを目的とする。
【０００８】
【課題を解決するための手段】
上記目的を達成するために本発明は、入金された硬貨を一枚ずつ分離して繰り出す硬貨繰出部と、前記硬貨繰出部から繰り出された硬貨を搬送する搬送部と、前記搬送部中に設けられ硬貨の真偽及び金種を識別する硬貨識別部と、前記搬送部から送られてきた硬貨を金種別に振り分ける選別搬送部と、前記選別搬送部で選別された硬貨を一時的に保留する硬貨一時保留部と、前記硬貨一時保留部に保留された硬貨を金種別に収納し指定金種の硬貨を指定枚数だけ取り出し可能に設けられた硬貨収納部と、前記硬貨収納部に収納しきれない硬貨を回収するための硬貨回収部とを備える硬貨処理装置において、前記硬貨収納部より取り出された硬貨と、入金された硬貨と、前記硬貨一時保留部に保留された硬貨を返却するために、前記硬貨一時保留部から放出された硬貨とを前記硬貨繰出部に案内する同一のシュートを備え、前記シュートにより、前記硬貨繰出部に案内された硬貨としての、前記硬貨収納部より取り出された硬貨と、前記放出された硬貨は、前記搬送部、前記選別搬送部を経由して出金されることを特徴とする硬貨処理装置を提供している。
【００１１】
更に、前記硬貨収納部に収納しきれない硬貨と、１又は２以上の補助硬貨を前記硬貨回収部に回収することが好ましい。
【００１２】
加えて、前記硬貨繰出部は水平円盤型繰出装置により構成されていることが好ましい。
【発明の実施の形態】
本発明の実施の形態による硬貨処理装置について図１、図３、及び図６に基づいて説明する。尚、以下の説明の理解を助けるために、便宜的に、図１の左側を「前方」、右側を「後方」とし、図３の左側を「左方」、右側を「右方」とする。
【００１３】
図１は、本発明による硬貨処理装置１の構成を概略的に示したものである。図示するように、この硬貨処理装置１は、装置フレーム２内に、硬貨を入金出金するための硬貨入出金部３と、多金種複数枚の硬貨を整列させて繰り出す硬貨繰出部５と、硬貨繰出部５から繰り出された硬貨を金種別に振り分ける選別搬送部９と、選別搬送部９で選別された硬貨を金種別に収納し収納された硬貨を出金硬貨として取出し可能に設けられた硬貨収納部１１とを備えている。
【００１４】
また、硬貨処理装置１は、硬貨入出金部３から硬貨繰出部５に硬貨を案内するとともに硬貨収納部１１から取り出された硬貨を硬貨繰出部５に搬送するシュート４と、硬貨繰出部５から繰り出された硬貨を１枚ずつ選別搬送部９に搬送する搬送部６とを備えている。
【００１５】
硬貨入出金部３は、装置フレーム２の上面に設けられたシャッター２１の直下位置に設けられており、複数枚の硬貨を一括して投入できるように硬貨よりやや大きく設けられた入金口３１（図２参照）と、出金硬貨を受けて保持する略半円筒形のトレイ３２を有している。
【００１６】
入金口３１の下方には硬貨を硬貨繰出部５に案内するシュート４が設けられ、硬貨入出金部３から投入された硬貨を装置フレーム２の下部に設けられた硬貨繰出部５に案内する。
【００１７】
硬貨繰出部５には、硬貨を受け入れて整列させる硬貨繰出装置５１が配設されている。図示の硬貨繰出装置５１は水平円盤型ホッパーと称されるものであり、シュート４から投入された硬貨を受け入れるホッパー５２と、表面がホッパーの内面の一部となるように配置された水平円盤５３とから構成されている。
【００１８】
水平円盤５３を駆動モータ５４により所定方向に回転させると、水平円盤５３の遠心力により硬貨はホッパー５２の内壁に沿って整列される。水平円盤５３により整列された硬貨は、規制ローラ５５により硬貨を一枚ずつ規制され、水平円盤５３の表面に連なる搬送部６へと繰り出される。尚、この規制ローラ５５は図示せぬモータにより駆動されている。
【００１９】
また、硬貨繰出装置５１にはシャッター（図示せず）が開閉可能に構成されるとともに、簡易な異物検出センサ（図示せず）が備えられている。そして、利用者が誤って異物を入金口３１より投入し、硬貨繰出装置５１より繰り出せない場合には、硬貨繰出装置５１のシャッター（図示せず）を開放し、返却ベルト１３により硬貨入出金部３に返却するものとしている。
【００２０】
搬送部６は、図に明示するように、硬貨繰出部５からほぼ水平方向に延びる搬送路を有している。この搬送路は、装置フレーム２に固定された平坦で表面が極めて滑らかな搬送プレート６１と、搬送プレート６１の表面上に固定されたガイドプレート（図示せず）とによって画成され、この搬送路に沿って硬貨が搬送ベルト６４により押し付けられて搬送されるように構成されている。
【００２１】
図示の例では、搬送ベルト６４が、プーリ６５、６６、６７、６８間に巻き掛けられ、搬送ベルト６４は装置フレーム２の上部部分に設けられた駆動モータ８６によりタイミングベルト８７を介して駆動されている。
【００２２】
また、搬送ベルト６４と接触し、連れ回りする搬送ベルト８０がプーリ８１、８２、８３、８４間に巻き掛けられている。これにより、搬送プレート６１を通過した硬貨は、この搬送ベルト６４、８０により挟持され、装置フレーム２の上部に設けられた選別搬送部９に搬送される。
【００２３】
搬送ベルト６４はテンションプーリ６９、６９により案内され、搬送ベルト８０はテンションプーリ８５、８５、８５により案内される。これらのテンションプーリ８５、６９、８５、６９、８５は略等間隔に配置されているので搬送ベルト６４と搬送ベルト８０の挟持力をほぼ一定に保ち、硬貨を上方の選別搬送部９に搬送することができる。
【００２４】
また、搬送部６には硬貨の正偽と金種を判断するための硬貨識別部７が設けられている。硬貨識別部７には、硬貨識別装置７０が取り付けられている。硬貨識別装置としては、種々の型式のものが使用されているが、識別精度の観点からは、特願平４−１９９７０２号明細書等に開示されているような硬貨識別装置が好ましい。
【００２５】
搬送部６の搬送ベルト６４、８０の上端は、プーリ６７、８４を介して、硬貨収納部１１の上部に配設された選別搬送部９に続いている。選別搬送部９は、前後方向にほぼ水平に延びる表面が円滑な振分プレート９２を有しており、この振分プレート９２上を硬貨が前方に搬送されるよう搬送ベルト９０が設けられている。搬送ベルト９０は、搬送部６の終端プーリ８３と、振分プレート９２の更に前方位置に設けられたプーリ９１との間に巻き掛けられている。この搬送ベルト９０は前記の駆動モータ８６によりタイミングベルト９４を介して駆動される。搬送ベルト９０は、硬貨を振分プレート９２に押しつけることにより、硬貨搬送を可能としている。
【００２６】
また、振分プレート９２には、前後方向に一定の間隔をおいて複数の貫通孔が形成されている。貫通孔は振分プレート９２上を搬送される硬貨を落下させるためのものであり、前方から順に１００用硬貨用、１０円硬貨用、１円硬貨用、オーバーフロー・回収用となっている。尚、本実施の形態においては５００円硬貨、５０円硬貨、５円硬貨の補助硬貨はオーバフロー・回収用の貫通口を経て回収されるように構成されている。
【００２７】
各貫通孔には振分爪９３が配置され、当該貫通孔を閉じ、振分プレート９２の上面と同一面となる位置と、先端（後側端部）が持ち上がった位置との間で傾動可能となっている。この振分爪９３は、例えばソレノイドのような適当な駆動装置（図示せず）により傾動される。通常時は、振分爪９３が貫通孔を閉じる位置にあり、振分プレート９２上を搬送される硬貨はその振分爪９３上を通り、前方に送られる。一方、振分爪９３の先端が持ち上げられると、後方から搬送された硬貨は振分爪９３の下面により案内され、開放された貫通孔を通って落下する。
【００２８】
この実施の形態においては、選別搬送部９の下方に硬貨一時保留部１０が設けられている。硬貨一時保留部１０には左右一対の側板、前板及び後板により画成された硬貨保留室１０５が設けられている。硬貨保留室１０５はそれぞれ、振分プレート９２に形成された貫通孔に対応して設けられており、前側から順に１００円硬貨用、１０円硬貨用、１円硬貨用、オーバーフロー・回収用となっている。
【００２９】
図３は硬貨処理装置の硬貨収納部の概略を表した断面図である。図に示すように、各硬貨保留室１０５の下部には、上面が硬貨保留面となる第１開閉プレート１０６が左方側板に枢支されている。また、右方側板には同一面を成す第２開閉プレート１０７が枢支されている。
【００３０】
硬貨一時保留部１０の下方には硬貨収納部１１が配設されている。この硬貨収納部１１は、前後方向に並設された複数個の硬貨取出装置１１１から構成されており、各硬貨取出装置１１１、１１１、１１１は硬貨一時保留部１０の硬貨保留室１０５のそれぞれに対応して設けられている。従って、各硬貨取出装置１１１、１１１、１１１は、前方から順次１００円硬貨用、１０円硬貨用、１円硬貨用となっている。
【００３１】
硬貨取出装置１１１の本体は硬貨収納部１１を構成している。硬貨収納部１１において使用可能な硬貨取出装置１１１としては種々あるが、この実施例では、ホッパー（図示せず）の下部に配置された回転ディスク（図示せず）を駆動モータ（図示せず）により一定角度回すたびに、このホッパー内の硬貨を１枚ずつ側方に繰り出す型式のものが用いられている。
【００３２】
各硬貨取出装置１１１、１１１、１１１の本体から繰り出された硬貨は、シュート４により案内されて硬貨繰出部５に送り込まれるようになっている。
【００３３】
図６は硬貨処理装置の硬貨回収の概略を表した断面図である。図に示すように、オーバフロー・回収用の硬貨保留室１０５の下部には硬貨取出装置はなく、硬貨保留室１０５の下方には、第２硬貨保留室１１５が画成されており、その下部には硬貨保留用の第３開閉プレート１１６が傾動可能に設けられている。第２硬貨保留室１１５はシュート１１７を介して装置フレームの下部の回収庫１５に連通されている。第３開閉プレート１１６にて保留された硬貨は、適時、第３開閉プレート１１６を傾動させることで装置フレーム２の下部の回収庫１５に落下、回収される。
【００３４】
この実施では、図３に示すように、装置フレーム２の上部には硬貨補充庫１４が設置されており、この硬貨補充庫１４に収納された硬貨は適時、シュート４を通して硬貨繰出部５上に補充される。尚、図１中１６４はリジェクト庫であり、出金硬貨として利用できない不良硬貨等のリジェクト硬貨が、選別搬送部９の後方のリジェクトシュート１６３から送り込まれるよう配置されている。また、図１中１６２は取り忘れ庫であり、出金時に取り忘れた硬貨を選別搬送部９の後方の取り忘れシュート１６１から送り込まれるように配置されている。
【００３５】
また、出金・返却シュート１７により選別搬送部９とトレイ３２が連通して構成されている。従って、出金硬貨、返却硬貨は選別搬送部９から出金・返却シュート１７を経由してトレイ３２上に出金または返却される。
【００３６】
上述したような構成において、硬貨処理は種々の態様で実行され得るが、入金処理、出金処理及び回収処理については以下の如き態様で行うのが好適である。
【００３７】
まず、図１乃至図９に基いて入金処理を説明する。利用者が装置フレーム２の表面に配置された操作パネル（図示せず）の入金ボタンを押すと、硬貨入出金部３のシャッター２１が開き、硬貨投入の待ち状態となる。ここで、入金口３１から多金種複数枚の硬貨を投入すると、硬貨は全てシュート４に案内されて硬貨繰出部５における硬貨繰出装置５１の水平円盤５３上に落下する。
【００３８】
硬貨繰出装置５１内に収容された硬貨は、水平円盤５３の回転により整列され、整列された硬貨は規制ローラ５５により硬貨と硬貨との間隔を規制して搬送部６に送られる。
【００３９】
規制ローラ５５により繰り出された硬貨は搬送ベルト６４により硬貨を一枚ずつ等間隔に分離され、硬貨識別部７に搬送される。硬貨が硬貨識別装置７０を通過すると、硬貨識別装置７０のコイル（図示せず）からの発振信号の周波数が変化し、その変化から通過硬貨の真偽及び金種が識別される。
【００４０】
この際、通過硬貨が偽硬貨等の入金処理できない硬貨であると識別されたならば、その硬貨は搬送部６から、選別搬送部９、出金・返金シュート１７を経て硬貨入出金部のトレイ３２に戻されて利用者に返却される。
【００４１】
また、正硬貨と識別された場合には、硬貨は搬送部６から選別搬送部９に送られる。選別搬送部９においては、その硬貨の金種に対応した振分プレート９２の貫通孔の振分爪９３が上方に傾動されるため、振分プレート９２上を搬送ベルト９０により送られてくる硬貨は対応の振分爪９３の下面に案内されて貫通孔に入り、硬貨一時保留部１０の硬貨保留室１０５に落下する。
【００４２】
より具体的には、１００円硬貨、１０円硬貨、１円硬貨と識別された場合には、それぞれ対応する振分爪９３により振り分け選別され、５００円硬貨、５０円硬貨、５円硬貨と識別された場合にはオーバーフロー・回収用貫通口の振分爪９３により回収される。
【００４３】
尚、収納すべき硬貨取出装置１１１が満杯である場合には、オーバーフロー用貫通孔の振分爪９３のみが上方に傾動され、硬貨はオーバーフロー用の硬貨保留室１０５に落下する。
【００４４】
振り分けられる硬貨が１００円、１０円、１円硬貨である場合には、図３に示すように１００円、１０円、１円用の各硬貨保留室１０５の間隙は第１及び第２開閉プレート１０６、１０７により閉じられているため、１００円、１０円、１円硬貨は振分爪９３（図１参照）の下面に案内されて落下し、第２開閉プレート１０７により導かれて各第１開閉プレート１０６の硬貨保留面上で一時的に保留される。
【００４５】
また、振り分けられる硬貨が５００円、５０円、５円硬貨である場合には、図６に示すように、オーバーフロー・回収用の硬貨保留室１０５の間隙は第１及び第２開閉プレート１０６、１０７により閉じられているため、５００円、５０円、５円硬貨は振分爪９３（図１参照）の下面に案内されて落下し、第２開閉プレート１０７により導かれて第１開閉プレート１０６の硬貨保留面上で混在して一時的に保留される。
【００４６】
尚、振り分けられる硬貨が１００円、１０円、１円硬貨である場合であっても、対応する硬貨取出装置１１１が満杯である場合にはオーバーフロー・回収用の硬貨保留室１０５に案内される。従って、この場合には１００円、１０円、１円硬貨であってもオーバーフロー・回収用の硬貨保留室１０５の第１開閉プレート１０６の硬貨保留面上で混在して一時的に保留される。
【００４７】
入金された全ての硬貨が識別され、対応の硬貨保留室１０５に振り分けられたならば、操作パネルの表示部に入金硬貨の金額を表示すると共に、利用者に確認を求める。ここで、確認ボタンが押されれば、１００円、１０円、１円硬貨は図４に示すように各硬貨保留室１０５の第１開閉プレート１０６を傾動させて間隙を開放する。これにより、１００円、１０円、１円硬貨は、対応する硬貨取出装置１１１に落下し収納される。また、オーバーフロー・回収用の硬貨保留室１０５に保留された硬貨は図７に示すように第１開閉プレート１０６の傾動により、第２硬貨保留室１１５に保留される。
【００４８】
一方、利用者が取消ボタン（図示せず）を押した場合には、硬貨一時保留部１０で保留された入金硬貨を全て利用者に返却するために、図５及び図９に示すように各硬貨保留室１０５の第２開閉プレート１０７を傾動させて開口部を開放させるこれにより、硬貨はシュート４を介して硬貨繰出部５に放出される。このように硬貨繰出部５に戻された硬貨は、再度、搬送部６の搬送路を上昇し、出金・返金シュート１７を経て、硬貨入出金部のトレイ３２に戻される。そして、入金硬貨が全てトレイ３２に戻ったならば、硬貨入出金口のシャッターが開き、トレイ上の硬貨は利用者に返却される。
【００４９】
尚、第２保留室１１５に保留された硬貨は、回収庫のセットを条件として図８に示すように第３開閉プレート１１６を開放し回収庫１５に送り込まれる。
【００５０】
また、図２に示すように、例えばクリップのような硬貨以外のものが入金口３１に投入された場合には、硬貨繰出装置５１から繰り出すことができないので、硬貨繰出装置内の異物検出センサ（図示せず）が異物を検出したことを条件に、硬貨繰出装置のシャッター（図示せず）を開放して、返却ベルト１３によりトレイ３２に返却する。これにより、異物による硬貨処理装置の故障を未然に防止できる。
【００５１】
次に、図１及び図３に基いて出金処理を説明する。
まず、操作パネルの出金ボタン（図示せず）を押し、出金硬貨の金種と枚数を指定すると、指定された金種に応じた硬貨収納部１１の硬貨取出装置１１１が駆動されて、所望の硬貨が硬貨収納部１１から指定枚数だけ取り出される。図３に示すように、硬貨収納部１１から取り出された硬貨はシュート４に案内されて、硬貨繰出部５のホッパー５２に放出される。硬貨繰出部５に放出された硬貨は、入金処理と同様にして１枚ずつ搬送部６の搬送路に繰り出され、硬貨識別部７でその真偽及び金種が識別される。
【００５２】
硬貨識別部７で指定金種の正常な硬貨であると識別された場合には、出金・返却シュート１７を通って硬貨入出金部３のトレイ３２に送られる。そして、硬貨収納部１１から取り出された硬貨が全てトレイ３２に送られたならば、硬貨入出金部のシャッター２１が開き、利用者に提供される。
【００５３】
一方、硬貨識別部７にて異常が検出され、出金硬貨としては不適当なものであると識別されたならば、その異常硬貨は選別搬送部９の振分プレート９２の先端から、リジェクトシュート１６３を落下してリジェクト庫１６４に収容される。かかる場合、その異常とされた硬貨だけ不足することとなるので、残りの硬貨が全てトレイ３２に送られた時点で不足分の硬貨の金種を自動的に再指定し、その金種の硬貨を硬貨収納部１１から取り出して、シュート４を介して硬貨繰出部５、搬送部６を経て硬貨識別部７に搬送する。そして、この硬貨が正常であれば、トレイ３２に送り、装置フレーム２のシャッター２１を開ける。
【００５４】
また、利用者が硬貨を取り忘れた場合には一定時間の経過を条件としてシャッター２１が閉じられるとともに、トレイ３２が反転する。トレイ３２の反転によりトレイ上の硬貨はシュート４、硬貨繰出部５、搬送部６を経由して選別搬送部９に搬送され、取り忘れシュート１６１を通って取り忘れ庫１６２に回収される。
【００５５】
次に、硬貨回収処理について、図１及び図８に基いて説明する。硬貨の回収処理を行うときには、硬貨処理装置への回収庫の装填を確認した後、回収ボタン（図示せず）を押下する。回収ボタンの押下により、第３開放プレート１１６を開放し、第２硬貨保留室１１５と回収庫１５とが連通される。このことにより、第３開放プレート１１６に保留された硬貨が回収庫１５に回収される。
その後、硬貨取出装置１１１から順次硬貨が繰り出される。繰り出された硬貨はシュート４により硬貨繰出装置５１内に案内され、順次、搬送部６に送り出される。搬送部６に送り出された硬貨は選別搬送部９のオーバーフロー・回収用貫通口の振分爪９３の下面に案内されて、オーバーフロー・回収用の硬貨保留室１０５、第２硬貨保留室１１５を経由して回収庫１５に回収される。尚、ここで硬貨識別装置７０により偽硬貨と判断された場合にはリジェクトシュート１６３を経由してリジェクト庫１６４に回収される。
【００５６】
本発明による硬貨処理装置は上述した実施の形態に限定されず、特許請求の範囲に記載された範囲で種々の変更が可能である。
【００５７】
上述した実施の形態では、硬貨処理装置単独で動作する場合について説明したが、銀行等に設置されているいわゆるＡＴＭと呼ばれる自動預貯金機の硬貨処理装置として利用することもできる。この場合には、上述した入金ボタン、確認ボタン、取消ボタンあるいは回収ボタンの代わり自動預貯金機本体からの信号によって、硬貨処理装置は動作するものとなる。
【００５８】
上記実施の形態の硬貨処理装置では、硬貨入出金部から案内される硬貨と、硬貨収納部から取り出される硬貨を同一のシュートによって硬貨繰出部に案内しているが、これらの硬貨を個々に案内するシュートをそれぞれ設けても良い。
【００５９】
また、例えば硬貨の投入は複数枚ずつ行う必要がある形式としているが、硬貨投入と硬貨出金を兼用した樋状のものとしても良い。このような形式とした場合には、硬貨の一括投入が可能となることはいうまでもない。
【００６０】
更に、上述した実施の形態によれば、１００円、１０円、１円硬貨を循環させる形式としているが、５００円、５０円、５円も循環させるものとしても良い。また、５００円、１００円、５０円、１０円、５円、１円の硬貨を処理するものとしているが、任意の金種のみを処理するものとしても良い。また、上述した実施の形態によれば、５００円、５０円、５円を回収庫に回収するものとしているが、この内何れか一つを回収するものとしても良い。
【００６１】
加えて、上述した実施の形態によれば、水平円盤型ホッパを硬貨繰出装置として使用しているが、傾斜円盤型ホッパを硬貨繰出装置として使用しても良い。
【発明の効果】
上述したように、請求項１記載の発明によれば、硬貨収納部から硬貨繰出部への硬貨の搬送を自由落下により行うので、駆動による搬送系を少なくすることができ、硬貨処理装置の小型化を図ることができる。
【００６２】
また、入金された硬貨の硬貨繰出部への搬送を自由落下により行うので、硬貨処理装置の小型化を図ることができる。
【００６３】
また、入金された硬貨の硬貨繰出部への搬送を硬貨収納部から硬貨繰出部へ硬貨を搬送するシュートにより行うので、別途第２のシュートを設ける必要がなく、硬貨処理装置の小型化を更に図ることができる。
【００６４】
更に、請求項２記載の発明によれば、補助硬貨は循環することなく回収箱に回収されるので、補助硬貨を個々に振り分ける振分爪、収納部を設ける必要がなく、硬貨処理装置の小型化を図ることができる。
【００６５】
加えて、請求項３記載の発明によれば、シュートからの硬貨投入量が多くても硬貨のいわゆるブリッジ化を防止することができ、多量の硬貨の処理をすることができる。
【図面の簡単な説明】
【図１】本発明による実施の形態の硬貨処理装置の概要を示した図。
【図２】本発明による実施の形態の硬貨処理装置による異物回収を説明するための図。
【図３】本発明による実施の形態の硬貨処理装置による硬貨（１００円、１０円、１円）の一時保留状態を示した図。
【図４】本発明による実施の形態の硬貨処理装置による硬貨（１００円、１０円、１円）の収納状態を示した図。
【図５】本発明による実施の形態の硬貨処理装置による硬貨（１００円、１０円、１円）の返却を示した図。
【図６】本発明による実施の形態の硬貨処理装置による硬貨（５００円、５０円、５円、オーバーフロー硬貨）の一時保留状態を示した図。
【図７】本発明による実施の形態の硬貨処理装置による硬貨（５００円、５０円、５円、オーバーフロー硬貨）の収納状態を示した図。
【図８】本発明による実施の形態の硬貨処理装置による硬貨（５００円、５０円、５円、オーバーフロー硬貨）の回収状態を示した図。
【図９】本発明による実施の形態の硬貨処理装置による硬貨（５００円、５０円、５円）の返却を示した図。
【図１０】従来の実施の形態の硬貨処理装置の概略を示した図。
【符号の説明】
１  硬貨処理装置
４  シュート
５  硬貨繰出部
６  搬送部
７  硬貨識別部
９  選別搬送部
１１  硬貨収納部
１５  回収庫
５１  硬貨繰出装置
【図１】
0003916288.tif 000002
【図２】
0003916288.tif 000003
【図３】
0003916288.tif 000004
【図４】
0003916288.tif 000005
【図５】
0003916288.tif 000006
【図６】
0003916288.tif 000007
【図７】
0003916288.tif 000008
【図８】
0003916288.tif 000009
【図９】
0003916288.tif 000010
【図１０】
0003916288.tif 000011